(57)【要約】      （修正有）【課題】滑らかな曲線や鋭い曲線を簡単に整形でき、価格も安価な陶磁器成形用の整形具を提供する。【解決手段】弾性を有する樹脂からなる楕円柱体形状であり、長軸に沿う向きの一方の側面部の壁面中央部に、湾曲する窪みを設け、他方の側面部の壁面に湾曲する膨らみを設けて、短軸に沿う向きの両端部壁面にも、湾曲する膨らみを形成し、当楕円柱体形状の上面は、湾曲する膨らみを持ち、楕円柱体形状の底面は、湾曲する窪みを備える。【選択図】図１
0003159743.tif 000002
【実用新案登録請求の範囲】
【請求項１】
弾性を有する樹脂からなる楕円柱体形状であり、長軸に沿う向きの一方の側面部の壁面中央部に、湾曲する窪みを設け、他方の側面部の壁面に湾曲する膨らみを設けて、短軸に沿う向きの両端部壁面にも、湾曲する膨らみを形成し、当該楕円柱体形状の上面は、湾曲する膨らみを持ち、該楕円柱体形状の底面は、湾曲する窪みを備えることを特徴とする、陶磁器成形用の整形具。
【考案の詳細な説明】
【技術分野】
【０００１】  本考案は、陶器や磁器などの容器類成形用の整形具である。
【背景技術】
【０００２】  平板の土から、壷、皿や鉢物、飲み物などの容器類の型枠を使用した成形時、従来では、乾いた砂袋や洗浄用スポンジなどを代用して整形していたが、湾曲する膨らみのある部分や窪み部分は、滑らかな曲線が表現しにくかったのと、なかでも中型から大形の当該容器類の型枠に当該平板土が馴染みにくい、欠点を持っていた。【０００３】  特許文献１にあるスポンジは、楕円柱体形状の両側面に、把持部を持つ湾曲する小さい窪みを備えた姿が、本考案の容器類成形用の整形具に似ているが、効率の良い洗浄作業を目的として開発された洗浄用専用のスポンジである。
【先行技術文献】
【特許文献】
【特許文献１】特開平１０−１４８１号
【非特許文献】
【考案の概要】
【考案が解決しようとする課題】
【０００４】  以上に述べた特許文献１の発明では、楕円の把持部が浅く小さな湾曲する窪みを持っているが、本考案と違って、効率の良い洗浄を目的として開発された、洗浄用専用の把持部を備えたスポンジである。
そして、いままでは、陶磁器の容器類成形では、壷、皿や鉢物などの外側の湾曲する膨らみの部分、内側の湾曲する窪み部分、また特に飲み物など小形の容器類は、専用の整形具が無く、特に初心者の方々は、陶芸家が、それぞれに工夫した乾いた砂袋や用具を代用して整形していたが、使用するのに用具が持つ癖などがあり、また、整形面が小さいため整形群などが発生して扱いにくい欠点を持っていた。【０００５】  本考案は、このような従来の問題点を解決しようとするものであり、持って軽く、扱いやすいうえに、価格も安く初心者から熟練者まで、簡単に陶磁器の容器類が製作できる専用の整形具を提供するものである。
【課題を解決するための手段】
【０００６】  上記課題を解決するため、本考案では、新規な陶磁器成形用の専用の整形具を提供する。すなわち、弾性を有する樹脂からなる楕円柱体形状であり、長軸に沿う向きの一方の側面部の壁面中央部に、湾曲する窪みを設け、他方の側面部の壁面に湾曲する膨らみを設けて、短軸に沿う向きの両端部壁面にも、湾曲する膨らみを形成し、当該楕円柱体形状の上面は湾曲する膨らみを持ち、該楕円柱体形状の底面には、湾曲する窪みを備えることを特徴とする、陶磁器成形用の整形具を提供する。
【考案の効果】
【０００７】  上述したように本考案の整形具は、次のような効果を奏する。
本考案にかかる、陶磁器成形用の整形具によれば、一つの該整形具から、大きさの違う容器類を整形することができる。
一つめは、前記楕円柱体形状の、長軸に沿う向きの前記側面部の壁面の、大きく湾曲する窪みを利用して、壷や鉢物類そして飲み物類などを整形して、中形から小形の容器類を製作できるのである。
二つめは、当該楕円柱体形状の長軸に沿う向きの、当該側面部の壁面の湾曲する膨らみを利用して皿類や鉢物など、中型から大形の容器類を製作できるのである。
三つめは、当該楕円柱体形状の長軸に沿う向きの、上面や底面の湾曲する膨らみや、窪みを利用して、壷類、皿類や鉢物類などを整形して、大形の容器類を製作できるのである。
【図面の簡単な説明】
【０００８】
【図１】整形具全体の斜視図
【図２】整形具全体の側面図
【図３】整形具全体の平面図
【図４】整形具全体の正面図
【図５】整形具の使用実施例図
【図６】整形具の使用実施例図
【考案を実施するための形態】
以下、本考案の実施の形態を図１〜図５に基づいて説明する。
【０００９】  この図１に示す陶磁器成形用の整形具は、陶磁器の各容器類の型枠に置いた平板の土を、弾性を有する樹脂、例えばスポンジを用いて形成されており、当該整形具の窪みや膨らみを使用して、壷類、皿類や鉢物そして飲み物等の各容器類を、整形し製作するのである。
当該陶磁器成形用の整形具を構成している、当該整形具１は、前記楕円柱体形状の長軸に沿う向きの側面部の両壁面のそれぞれに、湾曲する窪みと、そして膨らみを持ち、更に、当該楕円柱体形状の上面の湾曲する膨らみと、該楕円柱体形状の、底面の湾曲する窪みを備えている。
また、本実施の形態では、当該長軸の長さを１５ｃｍ〜２０ｃｍ程度に形成している。
【００１０】  次に、前記陶磁器成形用の整形具を基にして、各容器類の製作方法を紹介する。
図１に示す湾曲部の窪み２は、容器類の、型枠の上に置いた前記平板の土から、鉢物や壷類の中型から飲み物類の小形作品を製作するとき、当該整形具側面の湾曲部の窪み２を使用して、押し当てたり、掴むようにしたり、また、叩くようにして、形枠に沿って整形してゆく製作方法で使用できる。
【００１１】  また、図２に示す前記楕円柱体形状の上部の湾曲する膨らみ５や下部の湾曲する窪み６は、容器類の、型枠の上に置いた前記平板の土から、壷や皿類そして鉢類などの、中型から大形の作品を型枠に沿って、湾曲する膨らみ５や湾曲する窪み６を使用して、前記の様に押し当てたり、掴むようにしたり、また叩くようにして、大きく広い面整形が出来、滑らかな曲線が、簡単に整形できる製作方法で使用できる。
【００１２】  そして、図３に示す前記楕円柱体形状の湾曲部の膨らみ３は、容器類の型枠の上に置いた前記平板の土から、皿類や鉢物類等の中形の作品を製作するとき、前記整形具側面部の湾曲する膨らみ３を使用して、前記の様に押し当てたり、叩くようにして、形枠に沿って整形してゆく製作方法で使用できる。
【００１３】  図４に示す前記楕円柱体形状の両端部の湾曲部の膨らみ４は、容器類の型枠に沿って前記平板の土を整形するとき、容器類型枠の窪みの部分に使用して、滑らかな曲線を作り出す便利な膨らみをもち、鉢物や飲み物類の容器成形に使用でき、前記の様に、押し当てたり、叩くようにして、整形してゆく製作方法で使用できる。
【００１４】  図５は台秤の上で、深皿の型枠上に置いた前期平板の土を、前記陶磁器成形用の整形具を使用して整形具合を確かめた実施例である。
まず、各種容器類作成の基になる前記平板の土を練る柔らかさの標準は、人の耳たぶ程の柔らかさが標準と言われているが、陶芸家ごとに個人差があり、また使用する陶芸土の取れた産地や作る容器によっても違いがある。
そこで、容器類の中でも最も一般的な皿を基準にして、今までは陶芸家が経験と感に頼る整形であったが、当該平板の土に、当該整形具の滑らかな湾曲部の膨らみ３を使用して、圧力を加えた時に土がどれくらいの圧力で型枠に馴染むか、整形具合を目安として数量的に台秤の目盛りで確認した（図５参照）。
【００１５】  皿作りに使用する前期平板土は、厚さ６ｍｍで約２ｋｇ、型枠に使用した前記皿は約５００ｇ、前記陶磁器成形用の整形具で圧力を加えたとき土が型枠に馴染んで、それぞれの容器に形作られ整形できる台秤の目盛りは、凡そ５００ｇ〜１ｋｇ程度であった。
また、陶芸で作られる皿は、一般的に厚めの皿が重量感もあり、迫力が伝わるため好まれる傾向にあり、使用される板厚も５ｍｍ〜１０ｍｍと幅がある、しかし、なかには希に１０ｍｍを越す厚さの皿もあるが、殆んど板厚に影響されないで整形できる。
それは、当該平板土が軟らかいこともあり、それ程大きな力を必要としないで整形できるので、初心者でも、この当該整形具を使用すれば、台秤の目盛り数値からも、簡単に容器類を整形し、製作出きることが確認できたのである（図５参照）。
【００１６】  また、この前記陶磁器成形用の整形具考案の特徴として、いままでは、大形の皿や鉢物等が前期平板の土からは不可能であった、広い面の面整形が可能になり、均一で整形群の無い滑らかなカーブが簡単に整形出きるようになったことである。
そして、壷や鉢類など中型から飲み物類など小形の容器類製作において、当該平板の土を型枠に馴染ませ整形するのに、両手に当該整形具Ａ，Ｂをそれぞれ持ち、一方の該整形具Ａで、型枠に置いた当該平板の土を受けるように支えて、他方の該整形具Ｂで押し当てたり、掴んだり、叩くように整形する方法もあり、土の逃げを防いで整形がし易くなり、しかも手早く仕上がるので、良質な作品作りが出きる様になったことである（図６参照）。
【産業上の利用可能性】
【００１７】  日本国内の、陶磁器愛好家は、公民館のサークルや市民クラブ、陶芸教室などで製作活動中を含めて、約５００万人規模の記載があり、産業的に大きな利用が見込める。
また、この整形具は、樹脂などで出来ており、型崩れや不良品になったときには、再資源材として活用が図れる。
【符号の説明】
【００１８】  １  整形具本体
２  側面湾曲部の窪み部
３  側面湾曲部の膨らみ部
４  端面湾曲部の膨らみ部
５  上面湾曲部の膨らみ部
６  底面湾曲部の窪み部
７、深皿成形用型枠
８、平板土
９、台秤
１０、台秤の台
１１、台秤の目盛り針
１２、台秤の目盛り（Ｋｇ）
１３、鉢物成形用型枠
【図１】
0003159743.tif 000003
【図２】
0003159743.tif 000004
【図３】
0003159743.tif 000005
【図４】
0003159743.tif 000006
【図５】
0003159743.tif 000007
【図６】
0003159743.tif 000008